(57)【要約】【課題】ユーザの位置に応じて適切に交通情報を配信する。【解決手段】交通情報を地域情報と対応付けて記憶手段２１へ記憶する記憶処理手段２２と、交通情報の提供を希望するユーザの位置情報受け付ける位置受付手段２３と、前記記憶手段２１に記憶された交通情報の変化を検出する検出手段２４と、前記検出手段２４が変化を検出した場合に当該交通情報に対応する地域情報と前記位置受付手段２３が受け付けたユーザの位置情報に基づいて前記交通情報を配信すべきユーザを検出し、当該ユーザに対して前記交通情報を配信する配信手段とを具備する。【選択図】　図１
2004139173.tif 000002
【特許請求の範囲】
【請求項１】
交通情報を地域情報と対応付けて記憶手段へ記憶する記憶処理手段と、
交通情報の提供を希望するユーザの位置情報受け付ける位置受付手段と、
前記記憶手段に記憶された交通情報の変化を検出する検出手段と、
前記検出手段が変化を検出した場合に当該交通情報に対応する地域情報と前記位置受付手段が受け付けたユーザの位置情報に基づいて前記交通情報を配信すべきユーザを検出し、当該ユーザに対して前記交通情報を配信する配信手段とを
具備することを特徴とする交通情報配信装置。
【請求項２】
前記検出手段は、ユーザの位置情報の変化を検出し、
前記配信手段は、前記検出手段がユーザの位置情報の変化を検出した場合に配信すべき交通情報が存在する場合に当該交通情報を前記ユーザへ配信することを特徴とする請求項１に記載の交通情報配信装置。
【請求項３】
前記位置情報は、ユーザが携帯する端末を用いた位置検索システムから通知されることを特徴とする請求項１に記載の交通情報配信装置。
【請求項４】
前記位置情報は、ユーザが携帯する端末を用いた位置検索システムから通知されることを特徴とする請求項１に記載の交通情報配信装置。
【請求項５】
主記憶装置に格納されたプログラムに基づき中央処理装置が処理を行って交通情報の配信を行うコンピュータに用いられる交通情報配信プログラムにおいて、
前記中央処理装置に対し、
交通情報を地域情報と対応付けて記憶手段へ記憶する記憶処理と、
交通情報の提供を希望するユーザの位置情報受け付ける位置受付処理と、
前記記憶手段に記憶された交通情報の変化を検出する検出処理と、
前記検出処理によって、交通情報の変化が検出された場合に当該交通情報に対応する地域情報と前記受付処理において受け付けたユーザの位置情報に基づいて前記交通情報を配信すべきユーザを検出し、当該ユーザに対して前記交通情報を配信する配信処理と
を実行させることを特徴とする交通情報配信プログラム。
【請求項６】
前記検出処理では、ユーザの位置情報の変化を検出し、
前記配信処理では、前記検出処理においてユーザの位置情報の変化を検出した場合に配信すべき交通情報が存在する場合に当該交通情報を前記ユーザへ配信することを特徴とする請求項５に記載の交通情報配信装置。
【請求項７】
交通情報を地域情報と対応付けて記憶手段へ記憶する記憶処理手段と、交通情報の提供を希望するユーザの位置情報受け付ける位置受付手段と、前記記憶手段に記憶された交通情報の変化を検出する検出手段と、前記検出手段が変化を検出した場合に当該交通情報に対応する地域情報と前記位置受付手段が受け付けたユーザの位置情報に基づいて前記交通情報を配信すべきユーザを検出し、当該ユーザに対して前記交通情報を配信する配信手段とを具備する交通情報配信装置と、
ユーザが携帯する端末の位置を求め、求めた位置情報を前記交通情報配信装置へ送信する位置検索システムと
を具備することを特徴とする交通情報配信システム。
【請求項８】
交通情報を地域情報と対応付けて記憶手段へ記憶する記憶処理手段と、交通情報の提供を希望するユーザの位置情報受け付ける位置受付手段と、前記記憶手段に記憶された交通情報の変化を検出する検出手段と、前記検出手段が変化を検出した場合に当該交通情報に対応する地域情報と前記位置受付手段が受け付けたユーザの位置情報に基づいて前記交通情報を配信すべきユーザを検出し、当該ユーザに対して前記交通情報を配信する配信手段とを具備する交通情報配信装置と、
ユーザが携帯するカードのユーザ情報を読み取る読取装置と、この読取装置の位置を当該ユーザの位置情報として前記交通情報配信装置へ送信する送信装置とを具備する位置検索システムと
を具備することを特徴とする交通情報配信システム。
【請求項９】
前記検出手段は、ユーザの位置情報の変化を検出し、
前記配信手段は、前記検出手段がユーザの位置情報の変化を検出した場合に配信すべき交通情報が存在する場合に当該交通情報を前記ユーザへ配信することを特徴とする請求項７または８に記載の交通情報配信システム。
【発明の詳細な説明】
【０００１】
【発明の属する技術分野】
この発明は、ユーザの位置に応じて適切に交通情報を配信する交通情報配信装置、交通情報配信プログラム、交通情報配信システムに関するものである。
【０００２】
【従来の技術】
従来、交通情報を提供するシステムとしては、特開２００１−２８３３７１号公報に記載のものが知られている。このシステムは、ユーザの希望により希望する交通機関に関する遅れ情報を送信するものである。
【０００３】
【発明が解決しようとする課題】
上記の従来システムは、ユーザが希望する交通機関等を入力する必要があり、煩わしいものである。本発明は、上記のような従来の交通情報配信システムの現状に鑑みてなされたもので、その目的は、ユーザの位置に応じて適切に交通情報を配信する交通情報配信装置、交通情報配信プログラム、交通情報配信システムを提供することである。
【０００４】
【課題を解決するための手段】
本発明に係る交通情報配信装置は、交通情報を地域情報と対応付けて記憶手段へ記憶する記憶処理手段と、交通情報の提供を希望するユーザの位置情報受け付ける位置受付手段と、前記記憶手段に記憶された交通情報の変化を検出する検出手段と、前記検出手段が変化を検出した場合に当該交通情報に対応する地域情報と前記位置受付手段が受け付けたユーザの位置情報に基づいて前記交通情報を配信すべきユーザを検出し、当該ユーザに対して前記交通情報を配信する配信手段とを具備することを特徴とする。
【０００５】
本発明に係る交通情報配信装置では、前記検出手段が、ユーザの位置情報の変化を検出し、前記配信手段が、前記検出手段がユーザの位置情報の変化を検出した場合に配信すべき交通情報が存在する場合に当該交通情報を前記ユーザへ配信することを特徴とする。
【０００６】
本発明に係る交通情報配信装置では、前記位置情報は、ユーザが携帯する端末を用いた位置検索システムから通知されることを特徴とする。
【０００７】
本発明に係る交通情報配信装置では、前記位置情報は、ユーザが携帯する端末を用いた位置検索システムから通知されることを特徴とする。
【０００８】
本発明に係る交通情報配信プログラムは、主記憶装置に格納されたプログラムに基づき中央処理装置が処理を行って交通情報の配信を行うコンピュータに用いられる交通情報配信プログラムにおいて、前記中央処理装置に対し、交通情報を地域情報と対応付けて記憶手段へ記憶する記憶処理と、交通情報の提供を希望するユーザの位置情報受け付ける位置受付処理と、前記記憶手段に記憶された交通情報の変化を検出する検出処理と、前記検出処理によって、変化が検出された場合に当該交通情報に対応する地域情報と前記受付処理において受け付けたユーザの位置情報に基づいて前記交通情報を配信すべきユーザを検出し、当該ユーザに対して前記交通情報を配信する配信処理とを実行させることを特徴とする。
【０００９】
本発明に係る交通情報配信プログラムにおいては、前記検出処理では、ユーザの位置情報の変化を検出し、前記配信処理では、前記検出処理においてユーザの位置情報の変化を検出した場合に配信すべき交通情報が存在する場合に当該交通情報を前記ユーザへ配信することを特徴とする。
【００１０】
本発明に係る交通情報配信システムは、交通情報を地域情報と対応付けて記憶手段へ記憶する記憶処理手段と、交通情報の提供を希望するユーザの位置情報受け付ける位置受付手段と、前記記憶手段に記憶された交通情報の変化を検出する検出手段と、前記検出手段が変化を検出した場合に当該交通情報に対応する地域情報と前記位置受付手段が受け付けたユーザの位置情報に基づいて前記交通情報を配信すべきユーザを検出し、当該ユーザに対して前記交通情報を配信する配信手段とを具備する交通情報配信装置と、ユーザが携帯する端末の位置を求め、求めた位置情報を前記交通情報配信装置へ送信する位置検索システムとを具備することを特徴とする。
【００１１】
本発明に係る交通情報配信システムは、交通情報を地域情報と対応付けて記憶手段へ記憶する記憶処理手段と、交通情報の提供を希望するユーザの位置情報受け付ける位置受付手段と、前記記憶手段に記憶された交通情報の変化を検出する検出手段と、前記検出手段が変化を検出した場合に当該交通情報に対応する地域情報と前記位置受付手段が受け付けたユーザの位置情報に基づいて前記交通情報を配信すべきユーザを検出し、当該ユーザに対して前記交通情報を配信する配信手段とを具備する交通情報配信装置と、ユーザが携帯するカードのユーザ情報を読み取る読取装置と、この読取装置の位置を当該ユーザの位置情報として前記交通情報配信装置へ送信する送信装置とを具備する位置検索システムとを具備することを特徴とする。
【００１２】
本発明に係る交通情報配信システムでは、前記検出手段は、ユーザの位置情報の変化を検出し、前記配信手段は、前記検出手段がユーザの位置情報の変化を検出した場合に配信すべき交通情報が存在する場合に当該交通情報を前記ユーザへ配信することを特徴とする。
【００１３】
【発明の実施の形態】
以下本発明に係る交通情報配信装置、交通情報配信プログラム、交通情報配信システムの実施の形態を説明する。各図において、同一の構成要素には同一の符号を付し重複する説明を省略する。交通情報配信システムは、図１に示されるように、ネットワーク１に交通情報配信サーバ（交通情報配信装置）２とメールサーバ３が接続されており、メールサーバ３は無線網４を介してユーザ端末である携帯電話機５−１〜５−ｎと通信可能に構成されている。
【００１４】
ネットワーク１は、ルータ６を介してネットワーク７に接続されており、ネットワーク７にはユーザ端末であるパーソナルコンピュータ８−１〜８−ｍが接続されている。
【００１５】
電話網４には位置情報通知装置９が接続されており、位置情報通知装置９は携帯電話機５−１〜５−ｎの位置情報を交通情報配信サーバ２へ送信する。また、ネットワーク１には、ＧＰＳ（Ｇｌｏｂａｌ　Ｐｏｓｉｔｉｏｎｉｎｇ　Ｓｙｓｔｅｍ　）による位置情報通知装置１０が接続されており、位置情報通知装置１０はパーソナルコンピュータ８−１〜８−ｍの位置情報を交通情報配信サーバ２へ送信する。
【００１６】
交通情報配信サーバ２には、記憶手段２１、記憶処理手段２２、位置受付手段２３、検出手段２４、配信手段２５が備えられている。記憶手段２１には、図２に示されるようなユーザテーブル２０Ａが備えられている。このユーザテーブル２０Ａには、ユーザ名、宛先情報として電子メールアドレス、位置情報（ここでは、県名）が記憶されるようになっている。また、記憶手段２１には、図３に示されるような交通情報テーブル２０Ｂが備えられている。交通情報テーブル２０Ｂには、地域に対応して交通情報が記憶されるようになっている。この例では、地域として県名が記憶されており、交通情報は鉄道関連の不通や事故及び遅れ等の情報である。
【００１７】
記憶処理手段２２は、交通情報を地域情報と対応付けて記憶手段２１へ記憶するものである。位置受付手段２３は、交通情報の提供を希望するユーザの位置情報受け付けるものであり、受け付けた位置情報は記憶手段２１のユーザテーブル２０Ａに記憶される。検出手段２４は、上記記憶手段２１に記憶された交通情報の変化を検出するものであり、また、ユーザの位置情報に変化が生じたのか否かを検出するものである。配信手段２５は、上記検出手段２４が交通情報の変化を検出した場合に当該交通情報に対応する地域情報と上記位置受付手段２３が受け付けたユーザの位置情報に基づいて上記交通情報を配信すべきユーザを検出し、当該ユーザに対して上記交通情報を配信するものである。また、配信手段２５は、上記検出手段２４がユーザの位置情報に変化が生じたことを検出した場合には、ユーザの新規な位置情報に基づいて配信すべき交通情報の存否を検出し、存在する場合には当該ユーザに対して上記交通情報を配信するものである。
【００１８】
上記の交通情報配信サーバ２は、図４に示されるような構成に係るワークステーション、パーソナルコンピュータ、その他の計算機として構築される。すなわち、図４の計算機は、装置を統括制御するＣＰＵ５１を有し、このＣＰＵ５１に上記ＣＰＵ５１が用いるプログラム及びデータ等の情報が記憶される主記憶装置５２が接続されている。更に、ＣＰＵ５１には、システムバス５３を介してキーボード制御部５４、表示制御部５５、プリンタ制御部５６、通信インタフェース５７、マウス制御部５８、磁気ディスク制御部５９が接続されている。キーボード制御部５４には各種情報をキー入力可能なキーボード入力装置６０が接続され、表示制御部５５には情報を表示するためのＣＲＴ表示装置６１が接続され、プリンタ制御部５６には情報を印字出力するためのプリンタ装置６２が接続され、通信インタフェース５７にはネットワーク１を介して通信を行うための通信処理部６３が接続され、マウス制御部５８にはポインティングディバイスであるマウス６４が接続され、磁気ディスク制御部５９には補助記憶装置である磁気ディスク装置６５が接続されている。なお、交通情報配信サーバ２には、ＣＰＵ５１、主記憶装置５２、磁気ディスク制御部５９、磁気ディスク装置６５、通信インタフェース５７、通信制御部６３が少なくとも設けられる。また、必要に応じてフレキシブルディスクドライブ、磁気カード或いはＩＣカードリーダ、ＭＯ（光磁気ディスク）ドライブ等が設けられる。
【００１９】
一方、無線網４に配置された基地局にては各携帯電話機５−１〜５−ｎの位置登録を受けており、この基地局の情報と各携帯電話機５−１〜５−ｎの識別番号を位置情報通知装置９へ送るようになされている。位置情報通知装置９は、基地局の情報を地域を示す位置情報へ既に記憶されたテーブル等に基づき変換し、各携帯電話機５−１〜５−ｎの識別番号をユーザ名や通知アドレスに既に記憶されたテーブル等に基づき変換して、これらを交通情報配信サーバ２へ送る。
【００２０】
また、ＧＰＳ衛星１１が、パーソナルコンピュータ８−１〜８−ｍに備えられたＧＰＳ装置と連携してパーソナルコンピュータ８−１〜８−ｍの位置情報（緯度経度等）を検出し、位置情報通知装置１０へパーソナルコンピュータ８−１〜８−ｍの識別情報と位置情報を送信する。位置情報通知装置１０は、パーソナルコンピュータ８−１〜８−ｍの識別情報を既に記憶されたテーブル等に基づきユーザ名や通知アドレスに変換して、位置情報（緯度経度等であれば既に記憶されたテーブル等に基づき県名に変換して）と共に交通情報配信サーバ２へ送っている。
【００２１】
このように構成された交通情報配信システムにおいては、図１の交通情報配信サーバ２に示した各手段は、図４に示したＣＰＵ５１が図５、図６に示されるフローチャートに対応するプログラムを実行することにより実現されるので、このフローチャートにより本発明に係る交通情報配信サーバ２の動作を説明する。上記フローチャートに対応するプログラムは、本発明に係る交通情報配信プログラムであり、例えば磁気ディスク装置６５に格納されており、主記憶装置５２へ読み出されて実行される。
【００２２】
まず、宛先情報の入力がなされたのかを検出する（Ｓ１）。宛先情報の入力は、キーボード入力装置６０から入力され、或いは通信処理部６３を介してユーザ端末から入力することができる。この宛先情報は、ユーザ名及び通知アドレスである。宛先情報であるユーザ名及び通知アドレスが入力されると、これをユーザテーブル２０Ａへ登録する（Ｓ２）。
【００２３】
また、交通情報の入力がなされたのかを検出する（Ｓ３）。交通情報の入力は、キーボード入力装置６０から入力され、或いは通信処理部６３を介して図示せぬ交通情報入力装置から送られる。交通情報は、例えば、図３の交通情報テーブル２０Ｂに示されるように、「山の手線・上野−東京間不通」という発生した事象と「代替経路：銀座線上野−京橋」という代替経路の情報である。交通情報が入力がなされると、これを交通情報テーブル２０Ｂへ登録する（Ｓ４）。
【００２４】
更に、位置情報が位置情報通知装置９、１０から位置情報が到来したのかを検出する（Ｓ５）。位置情報が到来すると、この位置情報に付加されているユーザ情報に基づき図２のユーザテーブル２０Ａにおける該当のユーザ欄へ位置情報を更新する（Ｓ６）。
【００２５】
一方、図６のフローチャートに示すような処理も行っている。交通情報テーブル２０Ｂを走査しており、交通情報に変化があるかを検出する（Ｓ１１）。交通情報に変化があると、対応する地域を検出する（Ｓ１２）。例えば、全ての地域における交通情報が「異常なし」である場合において、図３に示されるように地域「東京」において交通情報の変化があると、地域「東京」が検出される。
【００２６】
次に検出された地域「東京」に基づき、同地域に居るユーザの有無を図２のユーザテーブル２０Ａから求める（Ｓ１４）。「東京」に居るユーザがある場合には、該当するユーザ（図２の例では、ｋ山Ｂ雄、ｙ川ｃ子）へ「山の手線・上野−東京間不通」及び「代替経路：銀座線上野−京橋」という交通情報と通知アドレスをメールサーバ３へ送信し、メールサーバ３が「山の手線・上野−東京間不通」及び「代替経路：銀座線上野−京橋」を含む電子メールを上記ユーザへ送信する（Ｓ１５）。
【００２７】
ステップＳ１１において交通情報に変化が無いことが検出された場合には、ユーザテーブル２０Ａを走査して位置情報に変化がなされているのかを検出する（Ｓ１６）。例えば、図２の例では「ｋ山Ｂ雄」の位置情報が他の地域から「東京」へ変化した場合には、ステップＳ１７へ進み、変化があった位置情報「東京」に対応する交通情報を求める（Ｓ１７）。ステップＳ１７において求めた交通情報である東京の欄に、送信すべき交通情報があるか（異常なし以外の情報があるか）を検出する（Ｓ１８）。
【００２８】
東京の交通情報には、「山の手線・上野−東京間不通」という発生した事象と「代替経路：銀座線上野−京橋」という代替経路の情報が含まれるので、ステップＳ１９へ進み、該当するユーザ（上記例では、ｋ山Ｂ雄）へ「山の手線・上野−東京間不通」及び「代替経路：銀座線上野−京橋」という交通情報と通知アドレスをメールサーバ３へ送信し、メールサーバ３が「山の手線・上野−東京間不通」及び「代替経路：銀座線上野−京橋」を含む電子メールを上記ユーザへ送信する（Ｓ１９）。
【００２９】
以上のようにして、本実施の形態では、交通情報に変化が生じた場合、或いはユーザが移動して地域が変化し配信すべき交通情報がある場合には、特にユーザからのアクセスが無くとも該当地域のユーザへ配信が行われ、無駄のない交通情報を得ることができる。
【００３０】
図７には、交通情報配信サーバ２に対して位置情報を通知する位置検索システムの別の構成を示す。この例では、駅に設置された自動改札機３１−１〜３１−ｋにおいて、定期などのカード３４を読み取り、ユーザ情報を得る。駅管理コンピュータ３０は、このユーザ情報と駅名などを位置情報通知装置３３へ送る。位置情報通知装置３３は、駅の情報を既に記憶されたテーブル等に基づき地域を示す位置情報へ変換し、ユーザ情報を既に記憶されたテーブル等に基づきユーザ名や通知アドレスに変換して、これらを交通情報配信サーバ２へ送っている。これによっても、無線網４と位置情報通知装置９とによる位置検索システムや、ＧＰＳ衛星１１と位置情報通知装置１０とにより構成される位置検索システムと同様に位置情報を交通情報配信サーバ２へ提供することができる。
【００３１】
なお、上記例においては、交通情報として鉄道に関する情報を対象としたが、これに限らず、例えば、高速道路や一般道路の交通情報を本実施例と同様にして必要なユーザに選択的に配信するようにしても良い。
【００３２】
【発明の効果】
以上説明したように本発明によれば、交通情報に変化が生じた場合に当該交通情報と対応する地域に居るユーザへ当該交通情報が配信されるので、無駄なく必要な交通情報を得ることができる。
【００３３】
また、本発明によれば、ユーザが移動して地域が変化し配信すべき交通情報がある場合には、当該ユーザへ交通情報が配信されるので、無駄なく必要な交通情報を得ることができる。
【図面の簡単な説明】
【図１】本発明に係る交通情報配信システムにおける実施態様の構成図。
【図２】本発明に係る交通情報配信システムにおける実施態様に備えられるユーザ情報テーブルの記憶内容を示す図。
【図３】本発明に係る交通情報配信システムにおける実施態様に備えられる交通情報テーブルの記憶内容を示す図。
【図４】本発明に係る交通情報配信装置である交通情報配信サーバの実際構成を示す構成図。
【図５】本発明に係る交通情報配信装置である交通情報配信サーバの動作を説明するためのフローチャート。
【図６】本発明に係る交通情報配信装置である交通情報配信サーバの動作を説明するためのフローチャート。
【図７】本発明に係る交通情報配信システムにおける実施態様に備えられる位置検索システムの構成例を示す図。
【符号の説明】
１　ネットワーク
２　交通情報配信サーバ
３　メールサーバ
４　無線網
５−１〜５−ｎ　携帯電話機
６　ルータ
７　ネットワーク
８−１〜８−ｍ　パーソナルコンピュータ
９　位置情報通知装置
１０　位置情報通知装置
１１　ＧＰＳ衛星
２１　記憶手段
２２　記憶処理手段
２３　位置受付手段
２４　検出手段
２５　配信手段
【図１】
2004139173.tif 000003
【図２】
2004139173.tif 000004
【図３】
2004139173.tif 000005
【図４】
2004139173.tif 000006
【図５】
2004139173.tif 000007
【図６】
2004139173.tif 000008
【図７】
2004139173.tif 000009